(57)【要約】【課題】Ｖリブドベルト及びプーリの損傷が抑制されると共に優れた作業効率が得られるベルト取付方法及びベルト取付治具を提供する。【解決手段】外側プーリ溝１６及び内側プーリ溝１７が形成されたクランクプーリ１１の内側プーリ溝１７に周方向に伸長可能なＶリブドベルト５を掛巻するにあたり、クランクプーリ１１の外側プーリ溝１６に嵌合すると共に外側プーリフランジ１３及び中央プーリフランジ１５を被覆するプーリ装着部３２及びベルト案内部３３を備えたガイド部材３１をステー４１によって固定し、かつステー４１によってＶリブドベルト５を内側プーリ溝１７に嵌合保持すると共にベルト案内部３３のベルト誘導面３３ｂに沿ってプーリ軸延在方向外方に誘導した状態でクランクプーリ１１を回転する。作業効率が向上すると共に、Ｖリブドベルト５及びクランクプーリ１１の損傷が回避できる。【選択図】図２
2008164053.tif 000002
【特許請求の範囲】
【請求項１】
外側プーリフランジ、中央プーリフランジ、内側プーリフランジの各プーリフランジが順に配置され外側プーリフランジと中央プーリフランジ及び中央プーリフランジと内側プーリフランジの間にそれぞれ外側プーリ溝及び内側プーリ溝が形成された第１プーリの内側プーリ溝と第２プーリのプーリ溝との間に周方向に伸長可能なベルトを第１プーリの外側プーリフランジ側から掛巻するベルト取付方法であって、
内周面が上記第１プーリの外側プーリ溝に嵌合すると共に外側プーリフランジ及び中央プーリフランジの外周面を被覆してプーリ回転方向に延在するプーリ装着部及び該プーリ装着部のプーリ回転方向の中央部においてプーリ装着部の外周面から突出してプーリ回転方向側にベルト誘導面が形成されたベルト案内部を備えたガイド部材と、
該ガイド部材を第１プーリに固定すると共に上記ベルトを上記内側プーリ溝に嵌合状態に保持する固定手段とを用い、
上記第２プーリのプーリ溝に掛巻したベルトを、上記ガイド部材を第１プーリに固定した固定手段によって内側プーリ溝に嵌合保持すると共にベルト案内部のベルト誘導面に沿ってプーリ軸延在方向外方に誘導した状態で第１プーリをプーリ回転方向に回転してベルトを上記内側プーリ溝に嵌合することを特徴とするベルト取付方法。
【請求項２】
外側プーリフランジ、中央プーリフランジ、内側プーリフランジの各プーリフランジが順に配置され外側プーリフランジと中央プーリフランジ及び中央プーリフランジと内側プーリフランジの間にそれぞれ外側プーリ溝及び内側プーリ溝が形成された第１プーリの内側プーリ溝と第２プーリのプーリ溝との間に周方向に伸長可能なベルトを第１プーリの外側プーリフランジ側から掛巻するベルト取付治具であって、
内周面が上記第１プーリの外側プーリ溝に嵌合すると共に外側プーリフランジ及び中央プーリフランジの外周面を被覆してプーリ回転方向に延在するプーリ装着部及び該プーリ装着部のプーリ回転方向の中央部においてプーリ装着部の外周面から突出してプーリ回転方向側にベルト誘導面が形成されたベルト案内部を備えたガイド部材と、
該ガイド部材を第１プーリに固定すると共に上記ベルトを上記内側プーリ溝に嵌合状態に保持する固定手段とを備えたことを特徴とするベルト取付治具。
【請求項３】
上記第２プーリのプーリ溝に掛巻されたベルトのプーリ軸延在方向の外れを規制するベルト規制部材を備えたことを特徴とする請求項２に記載のベルト取付治具。
【請求項４】
上記ガイド部材は、上記ベルト案内部のプーリ回転方向後方のプーリ装着部の外周面に形成されたプーリ軸延在方向に延在する凹状の係止部を備え、
上記固定手段は、連結部を介して互いに連結されてプーリ軸延在方向外方から第１プーリに形成されたサービスホールに嵌挿する係合部及び上記係止部に嵌挿してガイド部材を固定すると共に係止部から突出する先端部によってベルトを内側プーリ溝に嵌合保持するベルト保持部を備えたコ字形のステーであることを特徴とする請求項２または３に記載のベルト取付治具。
【請求項５】
外側プーリフランジ、中央プーリフランジ、内側プーリフランジの各プーリフランジが順に配置され外側プーリフランジと中央プーリフランジ及び中央プーリフランジと内側プーリフランジの間にそれぞれ外側プーリ溝及び内側プーリ溝が形成された第１プーリの内側プーリ溝と、外側プーリフランジ、中央プーリフランジ、内側プーリフランジの各プーリフランジが順に配置され外側プーリフランジと中央プーリフランジ及び中央プーリフランジと内側プーリフランジの間にそれぞれ外側プーリ溝及び内側プーリ溝が形成された第２プーリの内側プーリ溝との間に周方向に伸長可能なベルトを第１プーリの外側プーリフランジ側から着脱するベルト着脱方法であって、
内周面が上記第２プーリの内側プーリ溝に嵌合すると共に該第２プーリの内側プーリフランジ及び中央プーリフランジの外周面を被覆してプーリ回転方向に延在するプーリ装着部及び該プーリ装着部のプーリ回転方向の中央部においてプーリ装着部の外周面から突出してプーリ回転方向側にベルト誘導面が形成されたベルト案内部及びベルト案内部よりプーリ回転方向後方においてプーリ装着部からプーリ軸延在方向外方に延設されて第２プーリの外側プーリ溝及び外側プーリフランジの外周面を被覆するベルト外方誘導部を備え、上記プーリ装着部の内面が上記第１プーリの外側プーリ溝に嵌合すると共に該第１プーリの中央プーリフランジ及び外側フランジの外周面を被覆可能なガイド部材と、
該ガイド部材を第１プーリに固定すると共に上記ベルトを第１プーリの内側プーリ溝に嵌合状態に保持する固定手段とを用い、
上記第２プーリのプーリ溝に掛巻したベルトを、上記ガイド部材を第１プーリに固定した固定手段によって第１プーリの内側プーリ溝に嵌合保持すると共にベルト案内部のベルト誘導面に沿ってプーリ軸延在方向外方に誘導した状態で第１プーリをプーリ回転方向に回転してベルトを第１プーリの内側プーリ溝に嵌合すると共に、第１プーリの内側プーリ溝と第２プーリの内側プーリ溝との間に掛巻されたベルトを、上記ガイド部材を第２プーリの内側プーリ溝に嵌合保持して第１プーリをプーリ回転方向に回転してベルトを取り外しすることを特徴とするベルト着脱方法。
【請求項６】
外側プーリフランジ、中央プーリフランジ、内側プーリフランジの各プーリフランジが順に配置され外側プーリフランジと中央プーリフランジ及び中央プーリフランジと内側プーリフランジの間にそれぞれ外側プーリ溝及び内側プーリ溝が形成された第１プーリの内側プーリ溝と、外側プーリフランジ、中央プーリフランジ、内側プーリフランジの各プーリフランジが順に配置され外側プーリフランジと中央プーリフランジ及び中央プーリフランジと内側プーリフランジの間にそれぞれ外側プーリ溝及び内側プーリ溝が形成された第２プーリの内側プーリ溝との間に周方向に伸長可能なベルトを第１プーリの外側プーリフランジ側から着脱するベルト着脱治具であって、
内周面が上記第２プーリの内側プーリ溝に嵌合すると共に該第２プーリの内側プーリフランジ及び中央プーリフランジの外周面を被覆してプーリ回転方向に延在するプーリ装着部及び該プーリ装着部のプーリ回転方向の中央部においてプーリ装着部の外周面から突出してプーリ回転方向側にベルト誘導面が形成されたベルト案内部及びベルト案内部よりプーリ回転方向後方においてプーリ装着部からプーリ軸延在方向外方に延設されて第２プーリの外側プーリ溝及び外側プーリフランジの外周面を被覆するベルト外方誘導部を備え、上記プーリ装着部の内面が上記第１プーリの外側プーリ溝に嵌合すると共に該第１プーリの中央プーリフランジ及び外側フランジの外周面を被覆可能なガイド部材と、
該ガイド部材を第１プーリに固定すると共に上記ベルトを第１プーリの内側プーリ溝に嵌合状態に保持する固定手段とを備えたことを特徴とするベルト着脱治具。
【請求項７】
上記第２プーリの内側プーリ溝に掛巻されたベルトのプーリ軸延在方向の外れを規制するベルト規制部材を備えたことを特徴とする請求項６に記載のベルト着脱治具。
【請求項８】
上記ガイド部材は、上記ベルト案内部とベルト外方誘導部との間においてプーリ装着部の外周面に形成されたプーリ軸延在方向に延在する凹状の係止部を備え、
上記固定手段は、連結部を介して互いに連結されてプーリ軸延在方向外方から第１プーリに形成されたサービスホールに嵌挿する係合部及び上記係止部に嵌挿してガイド部材を固定すると共に係止部から突出する先端部によってベルトを第１プーリの内側プーリ溝に嵌合保持するベルト保持部を備えたコ字形のステーであることを特徴とする請求項６または７に記載のベルト着脱治具。
【発明の詳細な説明】
【技術分野】
【０００１】
本発明は、周方向に伸長可能なベルトをプーリ間に装着するベルト取付方法及びそのベルト取付方法に用いるベルト取付治具、ベルト着脱方法及びそのベルト着脱方法に用いるベルト着脱治具に関する。
【背景技術】
【０００２】
一般に、外周面にプーリ溝を有するプーリにＶリブドベルトを掛巻してなるベルト伝動機構には、Ｖリブドベルトをプーリ間に装着してから所定のベルト張力を付与するテンションプーリ等の張力調整手段が設けられている。
【０００３】
一方、張力調整手段を不要として構成の簡素化及びコスト低減を図るために、プーリ間に装着する際に周方向に伸長させてプーリフランジを乗り越えるようにして掛巻するＶリブドベルトがある。この種のＶリブドベルトは、高伸縮性の繊維からなる心線を埋設した平ベルト状のベルト本体の内周面にベルトの周方向に延びる複数のＶリブが一体に形成されている。一方、プーリのプーリ溝にはＶリブドベルトの内周面に形成された各Ｖリブが嵌合する複数のＶ溝が周方向に延在して形成されている。
【０００４】
このＶリブドベルトを使用する場合、Ｖリブドベルトを周方向に伸長させながらプーリフランジを乗り越えさせてプーリ溝に嵌め込む際に高い引張り応力が発生することからベルト取付治具が用いられる。
【０００５】
図２５に特許文献１に開示されるベルト取付治具を示す。このベルト取付治具１０１は、案内平滑面１０４を備えた円錐形状部材１０３、案内部材１０５、内周面がプーリ１１０のプーリフランジ１１１に摺接可能な脚部１０６が一体形成された頂端部１０２と、先端が頂端部１０２に係合可能なレバー１０７を備えている。
【０００６】
このベルト取付治具１０１の脚部１０６及び円錐形状部材１０３をプーリ１１０のプーリフランジ１１１の外周面に当接させる。そして、図２５に示すようにベルト取付治具１０１の回転方向後方においてプーリ１１０のプーリ溝１１３にＶリブドベルト１２０を嵌合し、そのＶリブドベルト１２０が円錐形状部材１０３、案内平滑面１０４及び案内部材１０５に沿って延在するようにセットする。円錐形状部材１０３は、このセットされたＶリブドベルト１２０がプーリ溝１１３からの外れを阻止すると共に、Ｖリブドベルト１２０の向きを変えてプーリ１１０のプーリ軸方向外方からプーリ溝１１１に導くようになっている。
【０００７】
このＶリブドベルト１２０がセットされた状態でレバー１０７の操作によって脚部１０６をプーリフランジ１１１の外周面に圧接してベルト取付治具１０１をプーリ１１０の周方向に回転させることによりプーリ溝１１３に嵌ったＶリブドベルト１２０の範囲が次第に拡がり、Ｖリブドベルト１２０がプーリ１１０に取り付けられる。
【０００８】
【特許文献１】米国特許明細書第６０３３３３１号
【発明の開示】
【発明が解決しようとする課題】
【０００９】
上記特許文献１に開示されるベルト取付治具１０１によると、ベルト取付治具１０１の脚部１０６及び円錐形状部材１０３がプーリ１１０のプーリフランジ１１１の外周面に当接した状態で、ベルト取付治具１０１の回転方向後方においてプーリ１１０のプーリ溝１１３にＶリブドベルト１２０を嵌合し、そのＶリブドベルト１２０を円錐形状部材１０３、案内平滑面１０４及び案内部材１０５に沿って延在するようにセットし、レバー１０７をプーリ１１０の周方向に回転させることによりＶリブドベルト１２０をプーリ１１０に取り付けることができる。
【００１０】
しかし、ベルト取付治具１０１の脚部１０６をプーリ１１０のプーリフランジ１１１に当接させてレバー１０７をプーリ１１０の周方向に回転させることから、プーリフランジ１１１に当接して摺動する脚部１０６によってプーリ１１０が損傷することが懸念される。
【００１１】
また、外周面に外側プーリ溝及び内側プーリ溝が並設されたプーリにおいて外側プーリ溝を越えて内側プーリ溝にＶリブドベルトを装着する際には、上記特許文献１のベルト取付治具を使用すると、案内平滑面１０４によりＶリブドベルト１２０が大きく屈曲誘導されてＶリブドベルト１２０が案内平滑面１０４や脚部１０６に圧接して引っ張られて擦られることからＶリブドベルト１２０及びプーリの損傷を誘発することが懸念される。
【００１２】
一方、外側プーリ溝にＶリブドベルトを掛巻した後に、内側プーリ溝に移動させる方法もあるが、外側プーリ溝に掛巻されたＶリブドベルトを直接手で握り、Ｖリブドベルトをプーリ軸延在方向に捩りながら側方に引っ張ると共にＶリブドベルトを押さえながらプーリを回転させて内側プーリ溝まで移動させなければならない。このときＶリブドベルトが外側プーリ溝に形成された複数のＶ溝、外側プーリ溝と内側プーリ溝の間に形成されたプーリフランジ、内側プーリ溝に形成された複数のＶ溝上を強引に乗り越えるため擦られてＶリブドベルトやプーリが損傷するおそれがある。更に作業者がプーリとＶリブドベルトの間に指を挟む危険性がある。また、組み付け時にプーリを回す量が例えば２〜３回と多く作業効率の低下を招く要因となる。
【００１３】
従って、かかる点に鑑みなされた本発明の第１目的は、Ｖリブドベルト及びプーリの損傷が抑制されると共に作業安全性が確保でき、優れた作業効率が得られるベルト取付方法及びベルト取付治具を提供することにある。
【００１４】
また、第２の目的は、Ｖリブドベルト及びプーリの損傷が抑制されると共に、容易に脱着できるベルト着脱方法及びベルト着脱治具を提供することにある。
【課題を解決するための手段】
【００１５】
上記第１の目的を達成する請求項１に記載のベルト取付方法は、外側プーリフランジ、中央プーリフランジ、内側プーリフランジの各プーリフランジが順に配置され外側プーリフランジと中央プーリフランジ及び中央プーリフランジと内側プーリフランジの間にそれぞれ外側プーリ溝及び内側プーリ溝が形成された第１プーリの内側プーリ溝と第２プーリのプーリ溝との間に周方向に伸長可能なベルトを第１プーリの外側プーリフランジ側から掛巻するベルト取付方法であって、内周面が上記第１プーリの外側プーリ溝に嵌合すると共に外側プーリフランジ及び中央プーリフランジの外周面を被覆してプーリ回転方向に延在するプーリ装着部及び該プーリ装着部のプーリ回転方向の中央部においてプーリ装着部の外周面から突出してプーリ回転方向側にベルト誘導面が形成されたベルト案内部を備えたガイド部材と、該ガイド部材を第１プーリに固定すると共に上記ベルトを上記内側プーリ溝に嵌合状態に保持する固定手段とを用い、上記第２プーリのプーリ溝に掛巻したベルトを、上記ガイド部材を第１プーリに固定した固定手段によって内側プーリ溝に嵌合保持すると共にベルト案内部のベルト誘導面に沿ってプーリ軸延在方向外方に誘導した状態で第１プーリをプーリ回転方向に回転してベルトを上記内側プーリ溝に嵌合することを特徴とする。
【００１６】
この発明によると、第２プーリのプーリ溝に掛巻したベルトを、ガイド部材を第１プーリの内側プーリ溝に嵌合保持する固定手段によって内側プーリ溝に嵌合保持してベルト案内部のベルト誘導面に沿ってプーリ軸延在方向外方に誘導した状態で、第１プーリをプーリ回転方向に１回転することによってベルトが第１プーリの内側プーリ溝及び第２プーリのプーリ溝間に掛巻される。第１プーリを１回転することでベルトが掛巻されることから作業効率が向上すると共に、ガイド部材によって外側プーリフランジの外周面、外側プーリ溝及び中央プーリフランジの外周面が覆われてベルトが外側プーリフランジの外周面や中央プーリフランジの外周面に当接乃至摺接することなくベルト及び第１プーリの損傷が回避できる。
【００１７】
また、ベルトの取り付けにあたり、従来のように外側プーリ溝にベルトを掛巻した後に、ベルトを直接手で握り、ベルトをプーリ軸延在方向に捩りながら側方に引っ張ると共にベルトを押さえてプーリを回転させて内側のプーリ溝まで移動させる等の作業がなくなり、作業者の負担が大幅に軽減できると共に、作業者がプーリとベルトの間に指を挟む等の危険性がなく作業の安全性が確保できる。
【００１８】
請求項２に記載のベルト取付治具は、外側プーリフランジ、中央プーリフランジ、内側プーリフランジの各プーリフランジが順に配置され外側プーリフランジと中央プーリフランジ及び中央プーリフランジと内側プーリフランジの間にそれぞれ外側プーリ溝及び内側プーリ溝が形成された第１プーリの内側プーリ溝と第２プーリのプーリ溝との間に周方向に伸長可能なベルトを第１プーリの外側プーリフランジ側から掛巻するベルト取付治具であって、内周面が上記第１プーリの外側プーリ溝に嵌合すると共に外側プーリフランジ及び中央プーリフランジの外周面を被覆してプーリ回転方向に延在するプーリ装着部及び該プーリ装着部のプーリ回転方向の中央部においてプーリ装着部の外周面から突出してプーリ回転方向側にベルト誘導面が形成されたベルト案内部を備えたガイド部材と、該ガイド部材を第１プーリに固定すると共に上記ベルトを上記内側プーリ溝に嵌合状態に保持する固定手段とを備えたことを特徴とする。
【００１９】
この発明は、請求項１のベルト取付方法に用いられるベルト取付治具であって、内周面が第１プーリの外側プーリ溝に嵌合すると共に外側プーリフランジ及び中央プーリフランジの外周面を被覆してプーリ回転方向に延在するプーリ装着部及びこのプーリ装着部のプーリ回転方向の中央部においてプーリ装着部の外周面から突出してプーリ回転方向側にベルト誘導面が形成されたベルト案内部を有するガイド部材と、このガイド部材を第１プーリに固定すると共にベルトを内側プーリ溝に嵌合状態に保持する固定手段とによって構成される。また、このガイド部材が樹脂によって容易かつ安価に形成できると共に、第１プーリやベルトの損傷を抑制することができる。
【００２０】
請求項３に記載の発明は、請求項２のベルト取付治具において、上記第２プーリのプーリ溝に掛巻されたベルトのプーリ軸延在方向の外れを規制するベルト規制部材を備えたことを特徴とする。
【００２１】
この発明によると、第２プーリのプーリ溝に掛巻されたベルトのプーリ軸延在方向の外れを規制するベルト規制部材を備えることにより、ベルトの取り付けにあたり第２プーリのプーリ溝からベルトが脱落するのが防止でき、安定したベルト取付作業が得られる。
【００２２】
請求項４に記載の発明は、請求項２または３のベルト取付治具において、上記ガイド部材は、上記ベルト案内部のプーリ回転方向後方のプーリ装着部の外周面に形成されたプーリ軸延在方向に延在する凹状の係止部を備え、上記固定手段は、連結部を介して互いに連結されてプーリ軸延在方向外方から第１プーリに形成されたサービスホールに嵌挿する係合部及び上記係止部に嵌挿してガイド部材を固定すると共に係止部から突出する先端部によってベルトを内側プーリ溝に嵌合保持するベルト保持部を備えたコ字形のステーであることを特徴とする。
【００２３】
この発明によると、固定手段が、第１プーリに形成されたサービスホールに嵌挿する係合部及びガイド部材の係止部に嵌挿してガイド部材を固定すると共に係止部から突出する先端部によってベルトを内側プーリ溝に嵌合保持するベルト保持部を備えたコ字形のステーによって容易に形成できる。
【００２４】
上記第２目的を達成する請求項５に記載のベルト着脱方法の発明は、外側プーリフランジ、中央プーリフランジ、内側プーリフランジの各プーリフランジが順に配置され外側プーリフランジと中央プーリフランジ及び中央プーリフランジと内側プーリフランジの間にそれぞれ外側プーリ溝及び内側プーリ溝が形成された第１プーリの内側プーリ溝と、外側プーリフランジ、中央プーリフランジ、内側プーリフランジの各プーリフランジが順に配置され外側プーリフランジと中央プーリフランジ及び中央プーリフランジと内側プーリフランジの間にそれぞれ外側プーリ溝及び内側プーリ溝が形成された第２プーリの内側プーリ溝との間に周方向に伸長可能なベルトを第１プーリの外側プーリフランジ側から掛巻するベルト取付方法であって、内周面が上記第２プーリの内側プーリ溝に嵌合すると共に該第２プーリの内側プーリフランジ及び中央プーリフランジの外周面を被覆してプーリ回転方向に延在するプーリ装着部及び該プーリ装着部のプーリ回転方向の中央部においてプーリ装着部の外周面から突出してプーリ回転方向側にベルト誘導面が形成されたベルト案内部及びベルト案内部よりプーリ回転方向後方においてプーリ装着部からプーリ軸延在方向外方に延設されて第２プーリの外側プーリ溝及び外側プーリフランジの外周面を被覆するベルト外方誘導部を備え、上記プーリ装着部の内面が上記第１プーリの外側プーリ溝に嵌合すると共に該第１プーリの中央プーリフランジ及び外側フランジの外周面を被覆可能なガイド部材と、該ガイド部材を第１プーリに固定すると共に上記ベルトを第１プーリの内側プーリ溝に嵌合状態に保持する固定手段とを用い、上記第２プーリのプーリ溝に掛巻したベルトを、上記ガイド部材を第１プーリに固定した固定手段によって第１プーリの内側プーリ溝に嵌合保持すると共にベルト案内部のベルト誘導面に沿ってプーリ軸延在方向外方に誘導した状態で第１プーリをプーリ回転方向に回転してベルトを第１プーリの内側プーリ溝に嵌合すると共に、第１プーリの内側プーリ溝と第２プーリの内側プーリ溝との間に掛巻されたベルトを、上記ガイド部材を第２プーリの内側プーリ溝に嵌合保持して第１プーリをプーリ回転方向に回転してベルトを取り外しすることを特徴とする。
【００２５】
この発明によると、第２プーリの内側プーリ溝に掛巻したベルトを、ガイド部材を第１プーリの内側プーリ溝に嵌合保持した固定手段によって内側プーリ溝に嵌合保持してベルト案内部のベルト誘導面に沿ってプーリ軸延在方向外方に誘導した状態で第１プーリをプーリ回転方向に１回転することによってベルトが第１プーリの内側プーリ溝及び第２プーリの内側プーリ溝間に掛巻される。第１プーリを１回転することでベルトが掛巻されることから作業効率が向上すると共に、ガイド部材によって第１プーリの外側プーリフランジの外周面、外側プーリ溝及び中央プーリフランジの外周面が覆われてベルトが外側プーリフランジの外周面や中央プーリフランジの外周面に当接乃至摺接することなくベルト及び第１プーリの損傷が回避できる。
【００２６】
また、第１プーリの内側プーリ溝と第２プーリの内側プーリ溝との間に掛巻されたベルトを、ガイド部材を第２プーリの内側プーリ溝に嵌合保持して第１プーリをプーリ回転方向に略９０°回転することによってベルトを第２プーリからすくい上げて容易に脱着することができる。更にベルト外方誘導部によって第２プーリの中央プーリフランジの外周面、外側プーリ溝及び外側プーリフランジの外周面が覆われてベルトが中央プーリフランジの外周面、外側プーリ溝、外側プーリフランジに当接乃至摺接することなくベルト及び第２プーリの損傷が回避できる。
【００２７】
請求項６に記載のベルト着脱治具の発明は、外側プーリフランジ、中央プーリフランジ、内側プーリフランジの各プーリフランジが順に配置され外側プーリフランジと中央プーリフランジ及び中央プーリフランジと内側プーリフランジの間にそれぞれ外側プーリ溝及び内側プーリ溝が形成された第１プーリの内側プーリ溝と、外側プーリフランジ、中央プーリフランジ、内側プーリフランジの各プーリフランジが順に配置され外側プーリフランジと中央プーリフランジ及び中央プーリフランジと内側プーリフランジの間にそれぞれ外側プーリ溝及び内側プーリ溝が形成された第２プーリの内側プーリ溝との間に周方向に伸長可能なベルトを第１プーリの外側プーリフランジ側から掛巻するベルト着脱治具であって、上記ベルト取付治具は、内周面が上記第２プーリの内側プーリ溝に嵌合すると共に該第２プーリの内側プーリフランジ及び中央プーリフランジの外周面を被覆してプーリ回転方向に延在するプーリ装着部及び該プーリ装着部のプーリ回転方向の中央部においてプーリ装着部の外周面から突出してプーリ回転方向側にベルト誘導面が形成されたベルト案内部及びベルト案内部よりプーリ回転方向後方においてプーリ装着部からプーリ軸延在方向外方に延設されて第２プーリの外側プーリ溝及び外側プーリフランジの外周面を被覆するベルト外方誘導部を備え、上記プーリ装着部の内面が上記第１プーリの外側プーリ溝に嵌合すると共に該第１プーリの中央プーリフランジ及び外側フランジの外周面を被覆可能なガイド部材と、該ガイド部材を第１プーリに固定すると共に上記ベルトを第１プーリの内側プーリ溝に嵌合状態に保持する固定手段とを備えたことを特徴とする。
【００２８】
この発明は、請求項５のベルト着脱方法に用いられるベルト着脱治具であって、内周面が第２プーリの内側プーリ溝に嵌合すると共に第２プーリの内側プーリフランジ及び中央プーリフランジの外周面を被覆してプーリ回転方向に延在するプーリ装着部及びこのプーリ装着部のプーリ回転方向の中央部においてプーリ装着部の外周面から突出してプーリ回転方向側にベルト誘導面が形成されたベルト案内部及びベルト案内部よりプーリ回転方向後方においてプーリ装着部からプーリ軸延在方向外方に延設されて第２プーリの外側プーリ溝及び外側プーリフランジの外周面を被覆するベルト外方誘導部を有し、このプーリ装着部の内面が第１プーリの外側プーリ溝に嵌合すると共に第１プーリの中央プーリフランジ及び外側フランジの外周面を被覆可能なガイド部材と、このガイド部材を第１プーリに固定すると共にベルトを第１プーリの内側プーリ溝に嵌合状態に保持する固定手段とを備える。
【００２９】
請求項７に記載の発明は、請求項６のベルト着脱治具において、上記第２プーリの内側プーリ溝に掛巻されたベルトのプーリ軸延在方向の外れを規制するベルト規制部材を備えたことを特徴とする。
【００３０】
この発明によると、第２プーリの内側プーリ溝に掛巻されたベルトのプーリ軸延在方向の外れを規制するベルト規制部材を備えることにより、ベルトの取り付けにあたり第２プーリの内側プーリ溝からベルトが脱落するのが防止でき、安定したベルト取付作業が得られる。
【００３１】
請求項８に記載の発明は、請求項６または７のベルト着脱治具において、上記ガイド部材は、上記ベルト案内部とベルト外方誘導部との間においてプーリ装着部の外周面に形成されたプーリ軸延在方向に延在する凹状の係止部を備え、上記固定手段は、連結部を介して互いに連結されてプーリ軸延在方向外方から第１プーリに形成されたサービスホールに嵌挿する係合部及び上記係止部に嵌挿してガイド部材を固定すると共に係止部から突出する先端部によってベルトを第１プーリの内側プーリ溝に嵌合保持するベルト保持部を備えたコ字形のステーであることを特徴とする。
【００３２】
この発明によると、固定手段が、第１プーリに形成されたサービスホールに嵌挿する係合部及びガイド部材の係止部に嵌挿してガイド部材を固定すると共に係止部から突出する先端部によってベルトを第１プーリの内側プーリ溝に嵌合保持するベルト保持部を備えたコ字形のステーによって容易に形成できる。
【発明の効果】
【００３３】
本発明によるベルト取付方法及びベルト取付治具によると、第２プーリのプーリ溝に掛巻したベルトを、ガイド部材を第１プーリの内側プーリ溝に嵌合保持した固定手段によって内側プーリ溝に嵌合保持してベルト案内部のベルト誘導面に沿ってプーリ軸延在方向外方に誘導した状態で第１プーリをプーリ回転方向に回転することによってベルトが第１プーリの内側プーリ溝及び第２プーリのプーリ溝間に掛巻されて作業効率が向上すると共に、第１プーリ及びベルトの損傷が回避できる。また、作業者の負担が大幅に軽減できると共に、作業者がプーリとベルトの間に指を挟む等の危険性がなく作業の安全性が確保できる。
【００３４】
また、本発明のベルト着脱方法及びベルト着脱治具によると、第２プーリの内側プーリ溝に掛巻したベルトを、ガイド部材を第１プーリの内側プーリ溝に嵌合保持した固定手段によって第１プーリの内側プーリ溝に嵌合保持してベルト案内部のベルト誘導面に沿ってプーリ軸延在方向外方に誘導した状態で第１プーリをプーリ回転方向に回転することによってベルトが第１プーリの内側プーリ溝及び第２プーリの内側プーリ溝間に掛巻されると共に、第１プーリ及びベルトの損傷が回避できる。更に、第１プーリの内側プーリ溝と第２プーリの内側プーリ溝との間に掛巻されたベルトを、ガイド部材を第２プーリの内側プーリ溝に嵌合保持して第１プーリをプーリ回転方向に略９０°回転することによってベルトを取り外すことができると共に、第２プーリ及びベルトの損傷が回避できる。
【発明を実施するための最良の形態】
【００３５】
以下、本発明におけるベルト取付方法、ベルト取付治具、ベルト着脱方法及びベルト着脱治具の実施の形態を説明する。
【００３６】
（第１実施の形態）
本発明におけるベルト取付方法及びベルト取付治具の実施の形態をエンジンのクランクプーリとエアコンプーリのプーリ溝間に周方向に伸長可能なＶリブドベルトを装着する場合を例に説明する。
【００３７】
図１は、エンジン１の要部斜視図であって、エンジン本体２から突出するクランク軸の端部に第１プーリであるクランクプーリ１１がクランクプーリボルト１８によって取り付けられている。一方、エンジン本体２に取り付けられたエアコンディショナーコンプレッサ３に第２プーリであるエアコンプーリ２１が取り付けられ、エンジン本体２からエアコンプーリ２１の近傍にネジ穴４ａが形成されたブラケット４が突設されている。このクランクプーリ１１とエアコンプーリ２１との間にＶリブドベルト５が掛巻される。なお、図中１１ａはクランクプーリ１１のプーリ軸芯、矢印１１ｂはクランクプーリ１１のプーリ軸延在方向を示し、２１ａはエアコンプーリ２１のプーリ軸芯、矢印２１ｂはエアコンプーリ２１のプーリ軸延在方向を示している。また、矢印１１Ｆはクランクプーリ１１のプーリ回転方向を示し、矢印２１Ｆはエアコンプーリ２１のプーリ回転方向を示している。
【００３８】
クランクプーリ１１は、図１に示すと共に図２に図１のＩ−Ｉ線断面図を示すように、周縁に沿って外側面から内側面に亘ってプーリ軸延在方向に貫通する複数のサービスホール１２が穿設されている。クランクプーリ１１の外周面におけるプーリ軸延在方向外方に外側プーリフランジ１３、プーリ軸延在方向内方に内側プーリフランジ１４、外側プーリフランジ１３と内側プーリフランジ１４との間に中央プーリフランジ１５がそれぞれ形成されている。これら外側プーリフランジ１３、内側プーリフランジ１４、中央プーリフランジ１５は同径であって、外側プーリフランジ１３と中央プーリフランジ１５との間に周方向に連続する外側プーリ溝１６が形成され、内側プーリフランジ１４と中央プーリフランジ１５との間に周方向に連続する内側プーリ溝１７が形成されている。
【００３９】
これらクランクプーリ１１の外周面に並設された外側プーリ溝１６の底部に複数、本実施の形態では４本のＶ溝１６ａが周方向に連続して形成され、内側プーリ溝１７の底部に複数、本実施の形態では４本のＶ溝１７ａが周方向に連続して形成されている。
【００４０】
エアコンプーリ２１は、図１に示すと共に図３に図１のＩＩ−ＩＩ線断面図を示すように、エアコンプーリ２１のプーリ軸延在方向外方に外側プーリフランジ２３、プーリ軸延在方向内方に内側プーリフランジ２４、外側プーリフランジ２３と内側プーリフランジ２４との間に中央プーリフランジ２５がそれぞれ形成されている。これら内側プーリフランジ２４と中央プーリフランジ２５は同径であって、外側プーリフランジ２３が内側プーリフランジ２４及び中央プーリフランジ２５に対して小径に形成され、外側プーリフランジ２３と中央プーリフランジ２５との間に周方向に連続する外側プーリ溝２６が形成され、内側プーリフランジ２４と中央プーリフランジ２５との間に外側プーリ溝２６より小径の内側プーリ溝２７が形成されている。外側プーリ溝２６の底部に周方向に連続する４本のＶ溝２６ａが形成され、同様に内側プーリ溝２７の底部に周方向に連続する４本のＶ溝２７ａが形成されている。
【００４１】
一方、クランクプーリ１１の内側プーリ溝１７とエアコンプーリ２１の内側プーリ溝２７との間に掛巻されるＶリブドベルト５は、図１乃至図３に示すようにポリアミド等の伸縮性に優れた繊維からなる複数の心線６ａを埋設した平ベルト状のベルト本体６の内周面に周方向に延びてクランクプーリ１１の内側プーリ溝１７に形成された各Ｖ溝１７ａ及びエアコンプーリ２１の内側プーリ溝２７に形成された各Ｖ溝２７ａに嵌合する４本のＶリブ７が形成され、このＶリブドベルト５は開放されたクランクプーリ１１及びエアコンプーリ２１の外側プーリフランジ１３、２３側から内側プーリ溝１７及び２７に掛巻される。
【００４２】
ベルト取付治具３０は、クランクプーリ１１の外側プーリ溝１６に装着されるガイド部材３１と、ガイド部材３１をクランクプーリ１１に保持すると共にＶリブドベルト５を保持する固定手段であるステー４１と、ベルト規制部材４５を有している。
【００４３】
図４乃至図８を参照してガイド部材３１を説明する。図４はガイド部材３１の斜視図であり、図５は図４のＡ矢視図、図６は図４のＢ矢視図、図７は図５のＩＩＩ−ＩＩＩ線断面図、図８は図７のＩＶ−ＩＶ線断面図である。
【００４４】
ガイド部材３１は、樹脂製であってクランクプーリ１１のプーリ回転方向に延在して外側プーリ溝１６に嵌合すると共に外側プーリフランジ１３の外周面１３ａ及び中央プーリフランジ１５の外周面１５ａを被覆して周方向に延在する円弧状に湾曲形成されたプーリ装着部３２と、プーリ装着部３２のプーリ回転方向の中央部において外周面３２ａから突出するベルト案内部３３と、ベルト案内部３３のプーリ回転方向後方に形成された後述するステー４１のベルト保持部４３が嵌挿する凹状で底部３４ａが平坦な係止部３４とが一体形成されている。
【００４５】
プーリ装着部３２の外周面３２ａの両側縁はそれぞれプーリ軸延在方向内方の内側面３２ｂ及びプーリ軸延在方向外方の外側面３２ｃに滑らかに連続している。一方、プーリ装着部３２の内周面にはクランクプーリ１１の外側プーリフランジ１３の外周面１３ａに嵌合する外側縁部３２ｄ及び中央プーリフランジ１５の外周面１５ａに嵌合する内側縁部３２ｅが形成され、外側縁部３２ｃと内側縁部３２ｅとの間に外側プーリ溝１６に嵌合すると共に各Ｖ溝１６ａに嵌合する複数のＶリブ３２ｆが形成されている。
【００４６】
ベルト案内部３３はプーリ装着部３２の内側面３２ｂと面一に形成された内側面３３ａと、この内側面３３ａのプーリ回転方向の縁部にプーリ軸延在方向内方の縁部が連続すると共にプーリ回転方向側にプーリ軸延在方向内方からプーリ軸延在方向外方に移行するに従って漸次プーリ回転方向後方に移行するように傾斜し、かつプーリ装着部３２の外周面３２ａから離れるに従って漸次プーリ回転方向後方に移行するように傾斜するベルト誘導面３３ｂが形成されている。この内側面３３ａとベルト誘導面３３ｂの連続部分３３ｃは滑らかな円弧状に形成されている。また、このガイド部材３１が樹脂によって容易かつ安価に形成できると共に、クランクプーリ１１やＶリブドベルト５の損傷を抑制することができる。
【００４７】
図９はステー４１の斜視図である。ステー４１は、連結部４２を介して連結される係合部４３とベルト保持部４４を備えた簡単な形状の略コ字状で、係合部４３をクランクプーリ１１のサービスホール１２に挿入し、ベルト保持部４４をガイド部材３１の係止部３４に嵌挿することによってガイド部材３１を外側プーリ溝１６に嵌合装着状態に保持する。また、ベルト保持部４４は係止部３４から先端部４４ａが突出して内側プーリ溝１７に嵌合するＶリブドベルト５を嵌合状態に保持する長さを有している。
【００４８】
図１０はベルト規制部材４５の斜視図である。ボルト挿通孔４６ａが穿設された基部４６と、基部４６に延設されたベルトガイド部４７を有し、基部４６をエンジン本体２に突設されたブラケット４に後述するボルト４８によって結合することによってベルトガイド部４７によってエアコンプーリ２１の内側プーリ溝２７に掛巻されたＶリブドベルト５にプーリ軸延在方向外方から摺接してＶリブドベルト５を内側プーリ溝２７に掛巻された状態に維持する。なお、ベルトガイド部４７の側縁は滑らかな円弧状に形成されている。
【００４９】
次に、ベルト取付治具３０を用いてクランクプーリ１１とエアコンプーリ２２にＶリブドベルト５を取り付ける作業手順を、図１１乃至図１５を参照して説明する。なお、図１１乃至図１５において図の簡素化を図るためエンジン本体１は省略されている。
【００５０】
まず、図１１に示すように、エンジン本体２に突設されたブラケット４に、ベルトガイド部４７が上方となるベルト規制部材４５が起立状態で、ボルト４８を基部４６に穿設されたボルト挿通孔４６ａに挿入してネジ穴４ａに螺合させてベルト規制部材４５を取り付ける。
【００５１】
次いで、図１２に示すようにクランクプーリ１１の外側プーリ溝１６に、プーリ装着部３２の内周面を嵌合させてクランクプーリ１１上にガイド部材３１をセットする。このクランクプーリ１１にセットされたガイド部材３１は、プーリ装着部３２の内周面に形成された外側縁部３２ｄ及び内側縁部３２ｅがそれぞれ外側プーリフランジ１３の外周面１３ａ及び中央プーリフランジ１５の外周面１５ａに嵌合すると共に、各Ｖリブ３２ｆが外側プーリ溝１６のＶ溝１６ａに嵌合してクランクプーリ１１に対するプーリ軸延在方向の移動が規制される。
【００５２】
このクランクプーリ１１上にガイド部材３１がセットされた状態で、図１３に示すように、ステー４１の係合部４３をクランクプーリ１１のサービスホール１２に挿入し、ベルト保持部４４をガイド部材３１の係止部３４内に嵌挿してステー４１によりガイド部材３１をクランクプーリ１１に固定する。この固定状態ではベルト保持部４４の先端部４４ａが係止部３４からプーリ軸延在方向内方に突出しない位置、即ち内側面３３ａから突出しない状態に維持される。しかる後、ガイド部材３１のベルト案内部３３がエアコンプーリ２１と対向するようにクランクプーリ１１をプーリ回転方向に回転する。
【００５３】
次に、図１４に示すようにＶリブドベルト５をベルト規制部材４５のベルトガイド部４７のエンジン本体２側を通してエアコンプーリ２１の外側プーリフランジ２３側から内側プーリ溝１７に掛巻する。この掛巻されたＶリブドベルト５は、エアコンプーリ２１の内側プーリ溝２７に嵌合し各Ｖリブ７が内側プーリ溝２７に形成されたＶ溝２７ａに嵌合する。
【００５４】
このＶリブドベルト５がエアコンプーリ２１の内側プーリ溝１７に掛巻した状態で、図１５に示すように、ガイド部材３１に対応する周方向位置においてＶリブドベルト５をクランクプーリ１１の反プーリ回転方向からプーリ回転方向に折り返してその折り返し部分５Ａをクランクプーリ１１の内側プーリ溝１６に嵌合、即ち各Ｖリブ７をＶ溝１６ａに嵌合する。更にステー４１の係合部４３をクランクプーリ１１のサービスホール１２に挿入し、かつベルト保持部４４をガイド部材３１の係止部３４内に更に挿入して係止部３４からプーリ軸延在方向内方に突出するベルト保持部４４によってＶリブドベルト５の折り返し部分５Ａを内側プーリ溝１６に押圧付勢する。これによりＶリブドベルト５の折り返し部５Ａが内側プーリ溝１６とベルト保持部４４によって挟まれて折り返し部分５Ａが内側プーリ溝１６に嵌合した状態に維持される。
【００５５】
更に、ガイド部材３１の近傍でＶリブドベルト５をプーリ軸延在方向外方に曲げるようにしてベルト案内部３３のベルト誘導面３３ｂに沿ってプーリ軸延在方向に誘導して中央プーリフランジ１５、外側プーリ溝１６、及び外側プーリフランジ１３を跨ぐようにする。換言すると、ステー４１にベルト保持部４４で挟んだＶリブドベルト５をガイド部材３１のベルト案内部３３のベルト誘導面３３ｂに掛けてベルト案内部３３よりもプーリ回転方向前方でクランクプーリ１１よりもプーリ軸方向外方を通す。この状態ではＶリブドベルト５に張力は作用しておらず、Ｖリブドベルト５を容易に折り返し、かつ折り返す部分５Ａをステー４１のベルト保持部４４により挟持してベルト案内部３３に掛けることができる。
【００５６】
クランクプーリ１１のクランクプーリボルト１８に例えば市販のレンチ等の工具を装着してクランクプーリ１１をプーリ回転方向に回転させることにより、Ｖリブドベルト５を伸長させながら、ガイド部材３１がプーリ回転方向に進み、Ｖリブドベルト５のうちの内側プーリ溝１７に嵌合する範囲が順次広がっていく。
【００５７】
ガイド部材３１よりもプーリ回転方向後方ではＶリブドベルト５が内側プーリ溝１７に嵌合すると共にベルト規制部材４５によってプーリ軸方向の移動が規制され、プーリ回転方向前方ではプーリ軸方向に曲がったＶリブドベルト５の復元力、Ｖリブドベルト５に作用する張力及びベルト案内部３３のベルト誘導面３３ｂによってＶリブドベルト５を内側プーリ溝１７に向かって移動させる力が作用する。
【００５８】
クランクプーリ１１の回転に伴ってガイド部材３１よりもプーリ回転方向前方で、Ｖリブドベルト５がクランクプーリ１１の中心付近から径方向外向きに移動して徐々に外側プーリフランジ１３の外周に近づいていく。やがて、Ｖリブドベルト５の張力及び復元力によりＶリブドベルト５が外側プーリフランジ１３、外側プーリ溝１６、中央プーリフランジ１５を乗り越えるようにして、プーリ装着部３２の外側面３２ｂ、外周面３２ａ及びベルト案内部３３のベルト誘導面３３ｂを滑って内側プーリ溝１７に嵌り、Ｖリブドベルト５がクランクプーリ１１にクランクプーリ１１の１回転によって取り付けられてクランクプーリ１１の内側プーリ溝１７とエアコンプーリ２１の内側プーリ溝２７の間に掛巻される。
【００５９】
Ｖリブドベルト５が完全にクランクプーリ１１の内側プーリ溝１７とエアコンプーリ２１の内側プーリ溝２７に取り付けられた後は、クランクプーリボルト１８に装着された工具を取り外すと共に、ステー４１の係合部４３及びベルト保持部４４をクランクプーリ１１のサービスホール１２及びガイド部材３１の係止部３４から抜き出してガイド部材３１をクランクプーリ１１から取り外す。しかる後、ボルト４８によりエンジン本体２に突設されたブラケット４に取り付けられたベルト規制部材４５を取り外す。
【００６０】
従って、本実施の形態によるベルト取付治具３０を使用することにより、Ｖリブドベルト５をクランクプーリ１１の内側プーリ溝１７及びエアコンプーリ２２の内側プーリ溝２７間に掛巻して取り付ける際、１回のクランクプーリ１１の回転でＶリブドベルト５が掛巻されて作業効率の大幅な向上が得られると共に、ガイド部材３１によって外側プーリフランジ１３の外周面１３ａ、外側プーリ溝１６及び中央プーリフランジ１５の外周面１５ａが覆われてＶリブドベルト５が外側プーリフランジ１３の外周面１３ａや中央プーリフランジ１５の外周面１５ａに当接乃至摺接することなくＶリブドベルト５及びクランクプーリ１１の損傷が回避できる。更にガイド部材３１のプーリ装着部３２によって外側プーリフランジ１３の外周面１３ａ、外側プーリ溝１６及び中央プーリフランジ１５の外周面１５ａを覆われ、かつＶリブドベルト５が摺接するプーリ装着部３２の側面３２ｂ及び外周面３２ａが滑らかな面に形成されると共にベルト案内部３３のベルト誘導面３３ｂ及びベルト誘導面３３ｂと内側面３３ａの連続部分３３ｃが滑らかな面に形成されてＶリブドベルト５が外側プーリフランジ１３、外側プーリ溝１６及び中央プーリフランジ１５を乗り越えやすく、更にこれらを乗り越える際にＶリブドベルト５の伸びを極力小さくしてＶリブドベルト５の損傷が防止することができる。
【００６１】
更に、ガイド部材３１が樹脂によって形成され、かつガイド部材３１が外側プーリフランジ１３の外周面１３及び中央プーリフランジ１５の外周面１５ａ上を擦ることがなく、かつＶリブドベルト５が外側プーリフランジ１３の外周面１３ａに当接することがなくクランクプーリ１１の損傷が回避できる。
【００６２】
また、Ｖリブドベルトの取り付けにあたり、従来のように手前側のプーリ溝にＶリブドベルトを掛巻した後に、手前側のプーリ溝に掛巻されたＶリブドベルトを直接手で握り、Ｖリブドベルトをプーリ軸延在方向に捩りながら側方に引っ張ると共にＶリブドベルトを押さえながらプーリを回転させて奥側のプーリ溝まで移動させる等の作業がなくなり、作業者の負担が大幅に軽減できると共に、作業者がプーリとＶリブドベルトの間に指を挟む等の危険性がなく作業の安全性が確保できる。
【００６３】
（第２実施の形態）
以下、本発明におけるベルト着脱方法及びベルト着脱治具の実施の形態を図１乃至図３及び図１６乃至図２４を参照して説明する。なお、図１６乃至図２４において図４乃至図１５と対応する部分には同一符号を付することで該部の詳細な説明を省略する。
【００６４】
なお、本実施の形態においては、クランクプーリ１１の外側プーリフランジ１３、内側プーリフランジ１４、中央プーリフランジ１５がそれぞれ同径であって、外側プーリフランジ１３と中央プーリフランジ１５との間に外側プーリ溝１６が形成され、内側プーリフランジ１４と中央プーリフランジ１５との間に内側プーリ溝１７が形成されている。一方、エアコンプーリ２１は、内側プーリフランジ２４と中央プーリフランジ２５がそれぞれクランクプーリ１１の内側プーリフランジ１４及び中央プーリフランジ１５と同径に形成され、外側プーリフランジ２３が内側プーリフランジ２４と中央フランジ２５に対して小径に形成されている。また、内側プーリフランジ２４と中央プーリフランジ２５との間に内側プーリ溝２７に対し外側プーリフランジ２３と中央プーリフランジ２５との間に外側プーリ溝２６は小径に形成され、内側プーリ溝２７はクランクプーリ１１の内側プーリ溝１７と同径に形成されている。
【００６５】
本実施の形態におけるベルト着脱治具５０は、ガイド部材５１と、ステー４１、ベルト規制部材４５を有している。
【００６６】
図１６乃至図１８を参照してガイド部材５１を説明する。図１６はガイド部材５１の斜視図であり、図１７は図１６のＣ矢視図、図１８は図１７のＤ矢視図、図１９は図１７のＥ矢視図である。また、図２０はガイド部材５１をエアコンプーリ２１に装着した状態における図１８のＶ−Ｖ線断面図である。
【００６７】
ガイド部材５１は、クランププーリ１１のプーリ回転方向に延在して外側プーリ溝１６に嵌合すると共に外側プーリフランジ１３の外周面１３ａ及び中央プーリフランジ１５の外周面１５ａを被覆して周方向に延在する円弧状に湾曲形成されたプーリ装着部３２と、プーリ装着部３２のプーリ回転方向の中央部において外周面３２ａから突出するベルト案内部３３と、ベルト案内部３３のプーリ回転方向後方に形成された係止部３４と、係止部３４のプーリ回転方向後方においてプーリ装着部３２の端部からプーリ軸方向外方に突出形成されたベルト外方誘導部３５が一体形成されている。
【００６８】
プーリ装着部３２の両側縁はそれぞれ軸方向内側の内側面３２ｂ及び軸方向外側の外側面３２ｃに滑らかに連続している。プーリ装着部３２の内周面にはクランクプーリ１１の外側プーリフランジ１３の外周面１３ａに嵌合する外側縁部３２ｄ及び中央プーリフランジ１５の外周面１５ａに嵌合する内側縁部３２ｅが形成され、外側縁部３２ｄと内側縁部３２ｅとの間に外側プーリ溝１６に嵌合すると共に各Ｖ溝１６ａに嵌合する複数のＶリブ３２ｆが形成されている。また、プーリ装着部３２の内周面に形成された外側縁部３２ｄ、内側面部３２ｅ及びＶリブ３２ｆは、エアコンプーリ２１の中央プーリフランジ２５の外周面２５ａ、内側プーリフランジ２４の外周面２４ａ及び内側プーリ溝２７の各Ｖ溝２７ａにそれぞれ嵌合可能に形成されている。
【００６９】
ベルト案内部３３は、第１実施の形態のガイド部材３１と同様にプーリ装着部３２の内側面３２ｂと面一に形成された内側面３３ａ及びこのプーリ回転方向側に内側面３３ａに連続するベルト誘導面３３ｂが形成され、内側面３３ａとベルト誘導面３３ｂの連続部分３３ｃは滑らかな円弧状に形成されている。
【００７０】
プーリ装着部３２の後端に延設されるベルト外方誘導部３５は、図２０に示すようにガイド部材５１をエアコンプーリ２１にセット、即ちエアコンプーリ２１の中央プーリフランジ２５の外周面２５ａ、内側プーリフランジ２４の外周面２４ａ、内側プーリ溝２７のＶ溝２７ａにそれぞれプーリ装着部３２の内周面を形成された外側縁部３２ｄ、内側縁部３２ｅ、Ｖリブ３２ｆを嵌合させてガイド部材５１をエアコンプーリ２１にセットした状態において、プーリ装着部３２の外側面３２ｂのプーリ回転方向後端部分からプーリ軸延在方向外方に延在すると共にプーリ軸芯２１ａ側に湾曲している。
【００７１】
ベルト外方誘導部３５の内周面３５ａはプーリ装着部３２の外側縁部３２ｄに連続すると共に外側プーリ溝２６及び外側プーリフランジ２３との間に間隙を有してプーリ溝２６及び外側プーリフランジ２３の外周面２４ａの形状に倣って段状に折曲して外側プーリフランジ２４の外周面２４ａを覆う一方、ベルト外方誘導部３５の外周面によってプーリ装着部３２の外周面３２ａからプーリ軸延在方向外方に移行するに従って緩やかにエアコンプーリ２１のプーリ軸芯側に湾曲してエアコンプーリ２１よりプーリ軸延在方向外方に延在するベルト誘導面３５ｂを形成している。また、このガイド部材５１が樹脂によって容易かつ安価に形成できると共に、クランクプーリ１１、エアコンプーリ２１、Ｖリブドベルト５等の損傷を抑制することができる。
【００７２】
このベルト着脱治具５０を用いてクランクプーリ１１とエアコンプーリ２２にＶリブドベルト５を取り付ける作業手順を説明する。なお、このＶリブドベルト５を取り付ける実質的な作業手順は第１実施形態と同様であり、ガイド部材５１に形成されたベルト外方誘導部３５は作用することがなく、ガイド部材５１は第１実施の形態におけるガイド部材３１と同様に作用するものであり、詳細な説明は省略する。
【００７３】
まず、Ｖリブドベルト５の取り付けにあたり、第１実施の形態と同様にエンジン本体２に突設されたブラケット４にベルト規制部材４５を取り付けた後、図２１に示すようにクランクプーリ１１の外側プーリ溝１６にプーリ装着部３２の内周面を嵌合させてクランクプーリ１１上にガイド部材５１をセットし、ステー４１の係合部４３及びベルト保持部４４をそれぞれクランクプーリ１１のサービスホール１２及びガイド部材５１の係止部３４内に嵌挿してステー４１によりガイド部材５１をクランクプーリ１１に固定する。
【００７４】
次に、Ｖリブドベルト５をベルト規制部材４５のベルトガイド部４７のエンジン本体２側を通して外側プーリフランジ２４側からエアコンプーリ２１の内側プーリ溝１７に掛巻する。このＶリブドベルト５がエアコンプーリ２１の内側プーリ溝１７に掛巻した状態で、図２２に示すように、ガイド部材３１に対応する周方向位置においてＶリブドベルト５をクランクプーリ１１の反プーリ回転方向からプーリ回転方向に折り返してその折り返し部分５Ａをクランクプーリ１１の内側プーリ溝１６に嵌合し、更にステー４１の係合部４３及びベルト保持部４４をそれぞれクランクプーリ１１のサービスホール１２及びガイド部材５１の係止部３４内に挿入して係止部３４からプーリ軸延在方向内方に突出するベルト保持部４４の先端部４４ａによってＶリブドベルト５の折り返し部分５Ａを内側プーリ溝１７に嵌合状態に維持する。更にガイド部材５１の近傍でＶリブドベルト５をプーリ軸延在方向外方に曲げるようにしてベルト案内部３３のベルト誘導面３３ｂに沿ってプーリ軸延在方向外方に誘導して中央プーリフランジ１５、外側プーリ溝１６、及び外側プーリフランジ１３を跨ぐようにする。そして、クランクプーリ１１を１回転させることによりクランクプーリ１１の内側プーリ溝１７とエアコンプーリ２１の内側プーリ２７の間に掛巻される。
【００７５】
次に、ガイド部材５１を用いてクランクプーリ１１の内側プーリ溝１７とエアコンプーリ２１の内側プーリ溝２７とに掛巻されたＶリブドベルト５を取り外すベルト取り外し作業手順を説明する。
【００７６】
まず、図２３に示すように、Ｖリブドベルト５が掛巻されたエアコンプーリ２１の内側プーリ溝２７に、プーリ装着部３２の内周面を嵌合させてエアコンプーリ２１にガイド部材５１をセットする。このエアコンプーリ２１にセットされたガイド部材５１は、プーリ装着部３２の内周面に形成された外側縁部３２ｄ及び内側縁部３２ｅがそれぞれ中央プーリフランジ２５の外周面２５ａ及び内側プーリフランジ２４の外周面１４ａに嵌合して各Ｖリブ３２ｆが内側プーリ溝２７のＶ溝２７ａに嵌合する。また、プーリ装着部３２の後端に延設されたベルト外方誘導部３５は、その内周面３５ａが外側プーリ溝２６及び外側プーリフランジ２３との間に間隙と有して外側プーリ溝２６及び外側プーリフランジ２３の外周面２３ａに沿ってプーリ軸延在方向外方に延在し外側プーリフランジ２３の外周面２３ａを覆う一方、外周面によって形成されたベルト誘導面３２ｂがプーリ装着部３２の外周面３２ａからプーリ軸延在方向外方に移行する従って緩やかにエアコンプーリ２１のプーリ軸芯側に湾曲してエアコンプーリ２１よりプーリ軸方向外方に延在する。
【００７７】
手でガイド部材５１を抑えてエアコンプーリ２１にセットされた状態を維持しつつ、クランクプーリ１１のクランクボルト１８に装着されたレンチ等の工具によりクランクプーリ１１をプーリ回転方向に略９０°回転させてエアコンプーリ２１を回転させる。エアコンプーリ２１の回転に伴ってガイド部材５１がプーリ回転方向に進みガイド部材５１のプーリ装着部３２のプーリ回転方向の端部３２ｆがエアコンプーリ２１とＶリブドベルト５によって挟まれてガイド部材５１がセット位置に固定される。
【００７８】
この状態でクランクプーリ１１をプーリ回転方向に回転すると、やがて図２４に示すようにガイド部材５１のプーリ装着部３２でＶリブドベルト５をすくい上げ、内側プーリ溝２７から径方向外側に離し、径方向外側に離されたＶリブドベルト５はベルト案内部３３のベルト誘導面３３ｂによりプーリ軸延在方向外方に誘導される。
【００７９】
作業者はベルト案内部３３のベルト誘導面３３ｂによってプーリ軸延在方向外方に誘導されたＶリブドベルト５を、プーリ装着部３２の後端に延設されたベルト外方誘導部３５のベルト誘導面３５ｂに沿って外側プーリ溝２６及び外側プーリフランジ２３の外周面２３ｂを越えてエアコンプーリ２１よりプーリ軸延在方向外方に引き出すことで、Ｖリブドベルト５は徐々にエアコンプーリ２１から取り外される。そして、Ｖリブドベルト５はクランクプーリ１１及びエアコンプーリ２１から取り外される。
【００８０】
このように構成された本実施の形態によると、第１実施の形態のガイド部材３０の後端にプーリ軸延在方向外方に延在するベルト外方誘導部３５を設けて構成されたガイド部材５１を第１実施の形態と同様にクランクプーリ１１の外側プーリ溝１６にステー４１に取り付けることにより容易にクランクプーリ１１の内側プーリ溝１７とエアコンプーリ２１の内側プーリ溝２７との間にクランクプーリ１１やＶリブドベルト５を損傷することなく安全かつ効率的に装着することができる。
【００８１】
一方、クランクプーリ１１の内側プーリ溝１７とエアコンプーリ２１の内側プーリ溝２７との間に掛巻されたＶリブドベルト５を取り外す際、エアコンプーリ２１の内側プーリ溝２７にガイド部材５１を装着して、クランクプーリ１１を略９０°回転することでＶリブドベルト５をエアコンプーリ２１の内側プーリ溝２７からすくい上げて、Ｖリブドベルト５を容易に脱着することができると共に、ベルト外方誘導部３５によって中央プーリフランジ２５の外周面２５ａ、外側プーリ溝２６及び外側プーリフランジ２３の外周面２３ａが覆われているため、Ｖリブドベルト５が中央プーリフランジ２５の外周面２５ａ、外側プーリ溝２６、外側プーリフランジ２３の外周面２３ａに当接乃至摺接することなくＶリブドベルト５及びエアコンプーリ２１の損傷が回避できる。更にベルト案内面３３のベルト誘導面３３ｃ及びベルト外方誘導部３５のベルト誘導面３５ｂが滑らかな面に形成されて中央プーリフランジ２５、外側プーリ溝２６、外側プーリフランジ２３を乗り越える際のＶリブドベルト５の伸びが極力抑制されてＶリブドベルト５の損傷が防止することができる。
【００８２】
なお、本発明は上記第１実施の形態及び第２実施の形態に限定されることなく発明の趣旨を逸脱しない範囲で種々変更可能である。例えば第１実施の形態及び第２実施の形態のガイド部材３１及び５１において係止部３４を凹状に形成したが貫通穴によって形成することもできる。また、ステー４１をコ字状に折曲した棒状材によって構成することもできる。上記第１実施の形態においてエンジン１のクランクプーリ１１とエアコンプーリ２１にＶリブドベルト５を取り付ける例について説明したが、エンジンのクランクプーリ１１とエアコンプーリ２１に限らず他のプーリ間にＶリブドベルトを取り付けることに適用することができる。また、同様に第２実施の形態においてエンジン１のクランクプーリ１１とエアコンプーリ２１にＶリブドベルト５を着脱する例について説明したが、エンジンのクランクプーリ１１とエアコンプーリ２１に限らず他のプーリ間におけるＶリブドベルトの着脱に適用することができる。
【図面の簡単な説明】
【００８３】
【図１】第１実施の形態のおけるベルト取付治具を説明するエンジンの概要を示すエンジンの斜視図である。
【図２】図１のＩ−Ｉ線断面図である。
【図３】図１のＩＩ−ＩＩ線断面図である。
【図４】ガイド部材の斜視図である。
【図５】図４のＡ矢視図である。
【図６】図４のＢ矢視図である。
【図７】図５のＩＩＩ−ＩＩＩ線断面図である。
【図８】図７のＩＶ−ＩＶ線断面図である。
【図９】ステーの斜視図である。
【図１０】ベルト規制部材の斜視図である。
【図１１】Ｖリブドベルト取り付け作業手順を示す説明図である。
【図１２】Ｖリブドベルト取り付け作業手順を示す説明図である。
【図１３】Ｖリブドベルト取り付け作業手順を示す説明図である。
【図１４】Ｖリブドベルト取り付け作業手順を示す説明図である。
【図１５】Ｖリブドベルト取り付け作業手順を示す説明図である。
【図１６】本発明の第２実施形態のベルト着脱治具を構成するガイド部材の斜視図である。
【図１７】図１６のＣ矢視図である。
【図１８】図１６のＤ矢視図である。
【図１９】図１６のＥ矢視図である。
【図２０】ガイド部材をエアコンプーリに装着した状態における図１８のＶ−Ｖ線断面図である。
【図２１】Ｖリブドベルト取り付け作業手順を示す説明図である。
【図２２】Ｖリブドベルト取り付け作業手順を示す説明図である。
【図２３】Ｖリブドベルト取り外し作業手順を示す説明図である。
【図２４】Ｖリブドベルト取り外し作業手順を示す説明図である。
【図２５】従来のベルト取付治具を説明する図である。
【符号の説明】
【００８４】
１      エンジン
４      ブラケット
５      Ｖリブドベルト
１１    クランクプーリ（第１プーリ）
１２    サービスホール
１３    外側プーリフランジ
１３ａ  外周面
１４    内側プーリフランジ
１４ａ  外周面
１５    中央プーリフランジ
１５ａ  外周面
１６    外側プーリ溝
１７    内側プーリ溝
２１    エアコンプーリ（第２プーリ）
２３    外側プーリフランジ
２４    内側プーリフランジ
２５    中央プーリフランジ
２６    外側プーリ溝
２７    内側プーリ溝
３０    ベルト取付治具
３１    ガイド部材
３２    プーリ装着部
３２ａ  外周面
３３    ベルト案内部
３３ｂ  ベルト誘導面
３４    係止部
３５    ベルト外方誘導部
３５ｂ  ベルト誘導面
４１    ステー（固定手段）
４２    連結部
４３    係合部
４４    ベルト保持部
４４ａ  先端部
４５    ベルト規制部材
５０    ベルト着脱治具
５１    ガイド部材
【図１】
2008164053.tif 000003
【図２】
2008164053.tif 000004
【図３】
2008164053.tif 000005
【図４】
2008164053.tif 000006
【図５】
2008164053.tif 000007
【図６】
2008164053.tif 000008
【図７】
2008164053.tif 000009
【図８】
2008164053.tif 000010
【図９】
2008164053.tif 000011
【図１０】
2008164053.tif 000012
【図１１】
2008164053.tif 000013
【図１２】
2008164053.tif 000014
【図１３】
2008164053.tif 000015
【図１４】
2008164053.tif 000016
【図１５】
2008164053.tif 000017
【図１６】
2008164053.tif 000018
【図１７】
2008164053.tif 000019
【図１８】
2008164053.tif 000020
【図１９】
2008164053.tif 000021
【図２０】
2008164053.tif 000022
【図２１】
2008164053.tif 000023
【図２２】
2008164053.tif 000024
【図２３】
2008164053.tif 000025
【図２４】
2008164053.tif 000026
【図２５】
2008164053.tif 000027